(57)【要約】      （修正有）【課題】ソフト感を演出し、かつ任意の外観にすることができる物品前出し装置を提供する。【解決手段】押し出し方向に沿って形成されるレール部１１の前側の端である前端と、レール部の前端と反対側の端である後端との間をレール部に沿って摺動可能に設けられる押し板２０の背面に、細長い金属の板を渦巻状に巻回した巻回部を有するばね３０の巻回部が設けられ、ばねの引き出された部分が前端近傍に設けられる。可撓性を有する樹脂製の被覆部で、ばねの少なくとも一部が被覆される。【選択図】図１
0003186002.tif 000002
【実用新案登録請求の範囲】
【請求項１】
押し出し方向に沿って形成されるレール部と、
前記レール部の前側の端である前端と、前記レール部の前記前端と反対側の端である後端との間を前記レール部に沿って摺動可能に設けられる押し板と、
細長い金属の板を渦巻状に巻回した巻回部を有するばねであって、前記巻回部が前記押し板の背面に設けられ、前記巻回部から引き出された部分の端が前記前端の近傍に設けられるばねと、
前記細長い金属の板の長手方向に直交する方向である周方向を覆うように、前記細長い金属の板の少なくとも一部を被覆する可撓性を有する樹脂製の被覆部と、
を備えたことを特徴とする物品前出し装置。
【請求項２】
請求項１に記載の物品前出し装置であって、
前記被覆部は、筒状の樹脂製の部材であり、その周方向に変形可能である
ことを特徴とする物品前出し装置。
【請求項３】
請求項１又は２に記載の物品前出し装置であって、
前記被覆部は、前記細長い金属の板の、前記押し板が前記レール部の前記後端に位置するときに前記レール部に沿って前記巻回部から引き出される領域を被覆する
ことを特徴とする物品前出し装置。
【考案の詳細な説明】
【技術分野】
【０００１】
本考案は、物品前出し装置に関する。
【背景技術】
【０００２】
特許文献１には、商品の押し出し方向に沿って形成されるレール部と、レール部に摺動可能に係合する押し板と、巻きぐせが付けられた渦巻状の巻回部を有する板ばねであって押し板をレール部に沿って商品の押し出し方向へ付勢するばねとを有し、ばねの巻回部が押し板の商品と対面する側とは反対側の部分に配置されると共に、巻回部から引き出されたばねの一端部がレール部の商品の押し出し方向の端部又はその近傍部に固定されており、ばねのレール部に対して上方に向かって働く圧力を利用し、押し板を上方へ押し上げる手段を具備する商品前出し陳列装置が開示されている。これにより、陳列された商品が後方から前方へ押し出され、商品を取り出す毎に後方から残りの商品が押し出される。
【先行技術文献】
【特許文献】
【０００３】
【特許文献１】特開２００７−１３５８７５号公報
【考案の概要】
【考案が解決しようとする課題】
【０００４】
特許文献１に記載の商品前出し陳列装置は、ばねを構成する薄い金属板が外部から容易に視認可能である。このように、薄い金属板が視認できる場合には、使用者が外観上嫌悪感を抱いたり、不安に思ったりする可能性がある。
【０００５】
また、商品前出し陳列装置に使用するばねは湾曲と展張を繰り返すため、ばねに塗装したとしても塗装が簡単にはがれてしまう。したがって、商品前出し陳列装置を商品に合わせた色にしてほしいという要望に対応することができないという問題があった。
【０００６】
本考案はこのような事情に鑑みてなされたもので、ソフト感を演出し、任意の外観にすることができる物品前出し装置を提供することを目的とする。
【課題を解決するための手段】
【０００７】
上記課題を解決するために、本考案に係る物品前出し装置は、例えば、押し出し方向に沿って形成されるレール部と、前記レール部の前側の端である前端と、前記レール部の前記前端と反対側の端である後端との間を前記レール部に沿って摺動可能に設けられる押し板と、細長い金属の板を渦巻状に巻回した巻回部を有するばねであって、前記巻回部が前記押し板の背面に設けられ、前記巻回部から引き出された部分の端が前記前端の近傍に設けられるばねと、前記細長い金属の板の長手方向に直交する方向である周方向を覆うように、前記細長い金属の板の少なくとも一部を被覆する可撓性を有する樹脂製の被覆部と、を備えたことを特徴とする。
【０００８】
本考案に係る物品前出し装置によれば、押し出し方向に沿って形成されるレール部の前側の端である前端と、レール部の前端と反対側の端である後端との間をレール部に沿って摺動可能に設けられる押し板の背面に、細長い金属の板を渦巻状に巻回した巻回部を有するばねの巻回部が設けられ、ばねの引き出された部分が前端近傍に設けられる物品前出し装置であって、可撓性を有する樹脂製の被覆部でばねの少なくとも一部が被覆される。これにより、押し板を前側に押圧可能な物品前出し装置を任意の外観にし、ソフト感を演出することができる。また、被覆部で覆った領域に関しては、ばねの腐食等を防ぐことができる。
【０００９】
ここで、前記被覆部は、筒状の樹脂製の部材であり、その周方向に変形可能であってもよい。これにより、ばねを容易に被覆することができる。
【００１０】
ここで、前記被覆部は、前記細長い金属の板の、前記押し板が前記レール部の前記後端に位置するときに前記レール部に沿って前記巻回部から引き出される領域を被覆してもよい。これにより、ばねが引き出される最大限の領域を被覆することができる。
【考案の効果】
【００１１】
本考案によれば、ソフト感を演出し、任意の外観にすることができる。
【図面の簡単な説明】
【００１２】
【図１】本考案の一例である物品前出し装置１の詳細を示す斜視図である。
【図２】押し板を説明する図であり、（Ａ）は斜視図であり、（Ｂ）は側面図であり、（Ｃ）は正面要部拡大図である。
【図３】（Ａ）は物品前出し装置１の使用時の状態を説明する図であって、押し板がレール部の後端に位置する場合を示す図であり、（Ｂ）は（Ａ）のＡ−Ａ断面図である。
【図４】物品前出し装置１の使用時の状態を説明する図であって、押し板がレール部の途中に位置する場合を示す図である。
【考案を実施するための形態】
【００１３】
以下、本考案の実施形態を、図面を参照して詳細に説明する。
図１は、本考案の一例である物品前出し装置１の詳細を示す斜視図である。物品前出し装置１は、主として、ケース１０と、押し板２０と、ばね３０を有する。
【００１４】
ケース１０は、たばこ等の任意の物品１００が収納される。ケース１０は、例えば透明の樹脂により形成された底面が略矩形の箱状の部材であり、物品１００の形状及び収納量に応じて任意の大きさに形成される。
【００１５】
ケース１０は、上面が開口されると共に、底面にレール部１１、係止段差１２、ばね固定部１３、着脱開口部１４等が形成されている。
【００１６】
レール部１１は、ケース１０の底面の略中央部に、ケース１０の長手方向、即ち商品の配列方向に沿って形成された長孔である。係止段差１２は、レール部１１の後端近傍部に形成された段差であり、物品１００の収納時等に押し板２０を係止させておくための部分である。ばね固定部１３は、ばね３０の一端を固定する部分である。着脱開口部１４は、押し板２０をレール部１１に対し着脱させる際の入口又は出口となる部分である。
【００１７】
図２は、押し板２０を説明する図であり、（Ａ）は斜視図、（Ｂ）は側面図、（Ｃ）は正面要部拡大図である。押し板２０は、例えば樹脂により成形され、ケース１０の底面上にレール部１１に沿って摺動可能に設けられる。押し板２０は、最後部に位置する物品１００と当接し、ばね３０の力により物品１００全体に前方（図１矢印参照）への力を付勢する。
【００１８】
押し板２０は、主として、板部２１と、凸状部２２と、レール摺接部２３と、補強部２４と、指掛け部２５と、下片部２６と、ばねガイド部２７とを有する。
【００１９】
板部２１の前面側（図２（Ｂ）左側）には、短手方向に沿って凸状部２２が形成されている。物品１００の陳列時には、凸状部２２が物品１００と当接する。
【００２０】
レール摺接部２３は、ケース１０に形成されたレール部１１と係合する凹形状の部分である。レール摺接部２３は、図２（Ｃ）に示すように、円弧を描くような形状となっている。これにより、板部２１と平行に切断した断面において、レール部１１とレール摺接部２３とが点接触する。したがって、摩擦抵抗を軽減することができる。
【００２１】
補強部２４は、板部２１の背面側に設けられた２枚の略扇型の部材である。２枚の補強部２４の間には、ばね３０の巻回部３１（後に詳述）が設けられる。指掛け部２５は、補強部２４の外周に立設されたリブであり、利用者が押し板２０を移動させる際の操作性を向上させるためのものである。
【００２２】
下片部２６は、板部２１の背面側の、２枚の補強部２４の下端近傍に設けられる。下片部２６の底面は、板部２１の底面に形成されたばねガイド部２７と一体となっている。
【００２３】
ばね３０は、細長い金属の板を、巻きぐせを付けて渦巻状に巻回したばねである。ばね３０は、図２（Ａ）に示すように、渦巻状に巻回された巻回部３１と、巻回部３１から巻きだされた巻き出し部３２とを有する。巻き出し部３２の先端には孔３３が形成される。
【００２４】
巻回部３１は、図２（Ｂ）に示すように、押し板２０の背面側の２枚の補強部２４の間の空間に配置される。孔３３をケース１０のばね固定部１３に固定することで、押し板２０には、前方（図１矢印参照）へ移動する方向の力が付勢される。
【００２５】
なお、図２（Ｃ）に示すように、巻き出し部３２がばねガイド部２７の下側を通過する。そのため、図２（Ｂ）に示すように、下片部２６の後端に巻き出し部３２が当接する。これにより、押し板２０を上方へ押し上げる力が押し板２０に付勢される。押し板２０とケース１０底面の上面との摩擦抵抗を従来よりも軽減させることができる。ただし、巻き出し部３２が下片部２６の後端の下側を通過することは必須ではない。
【００２６】
押し板２０をレール部１１に係合させる際には、押し板２０をレール部１１端部に形成された着脱開口部１４（図１参照）に嵌め込み、板部２１がレール部１１の長手方向と直交するように押し板２０を回転させた後でレール部１１内にスライドさせる。そして、ばね３０の巻回部３１を２枚の補強部２４の間の空間に載置し、孔３３をばね固定部１３に固定する。そして、巻回部３１からばね３０を繰り出しながら押し板２０をケース１０の後端近傍部まで移動させ、係止段差１２に係止させ、ケース１０内に物品１００を並べた後、押し板２０を係止段差１２から外す。これにより、物品１００は前方へ加圧された状態で陳列される。
【００２７】
本実施の形態における物品前出し装置１は、ばね３０を構成する細長い金属の板に樹脂製の被覆部４０が設けられる点に特徴がある。図３（Ａ）は、押し板２０をケース１０の後端近傍部まで移動させ、係止段差１２に係止された状態（押し板２０がレールの後端に位置する状態）を示す図である。図３（Ａ）において、ばね３０のハッチングが掛けられた部分は、被覆部４０により被覆されている部分である。
【００２８】
被覆部４０は、筒状の樹脂製の部材、例えば熱収縮チューブである。被覆部４０は、周方向に変形可能である。熱収縮チューブとしては、電子線架橋軟質ポリオレフィン樹脂、軟質ポリ塩化ビニル系樹脂、軟質ポリ塩化ビニル系樹脂等の様々な形態のものを用いることができる。熱収縮チューブはすでに公知であるため、説明を省略する。
【００２９】
図３（Ａ）に示すように、被覆部４０は、押し板２０がレールの後端に位置する状態において、使用者が視認可能な範囲を覆うように、ばね３０を被覆している。本実施の形態では、被覆部４０は、ばね３０の少なくとも、押し板２０がレールの後端に位置する状態において巻回部３１から引き出される領域を被覆する。なお、被覆部４０は、押し板２０がレールの後端に位置する状態において、使用者が視認可能な範囲より広い範囲を覆ってもよい。例えば、ばね３０全体を被覆部４０が覆うようにしてもよい。
【００３０】
図３（Ｂ）は、ばね３０の被覆部４０により被覆されている部分を、ばね３０の長手方向と直交する方向に切断した切断面における断面図（図３（Ａ）のＡ−Ａ断面図）である。図３（Ｂ）に示すように、被覆部４０は、細長い金属の板の周方向を覆うように設けられる。
【００３１】
本実施の形態によれば、ばねを構成する金属を樹脂で覆うため、物品前出し装置を視認した使用者が、ばねを危険な刃物等と間違えて認識することを防ぎ、ソフト感を演出することができる。また、被覆部に用いる樹脂の被覆部は様々な色で生成可能であるため、ばねへの着色や色の変更、ばね部分への印字等を容易に行うことができる。その結果、物品前出し装置の用途範囲を広げることができる。なお、ばねが引き出される最大限の領域を被覆部が覆うことで、当該効果を最も高くすることができる。
【００３２】
また、本実施の形態によれば、樹脂製の被覆部でばねが覆われているため、万が一ばねが折れたり破断したりした場合においても、樹脂製の被覆部がばねを保護するため、ばねの切断面が露出せず、安全性を向上させることができる。また、周方向に変形可能な筒状の樹脂製の部材を被覆部として用いることで、容易にばねを被覆することができる。また、樹脂を金属の上に安定して密着させることができる。
【００３３】
また、本実施の形態では、ばねの露出する部分を樹脂製の被覆部で覆うため、被覆部で覆われた領域について金属腐食性ガス等に対する耐環境性を高めることができる。例えば、工場等で物品前出し装置を使用する場合には、ばねを耐腐食性の高い金属（例えば、ステンレス）を用いたとしても腐食は避けられないが、金属を樹脂で覆うことにより腐食を防止することができる。
【００３４】
なお、本実施の形態では、被覆部４０は、押し板２０がレールの後端に位置する状態において、ばね３０の使用者が視認可能な範囲を被覆部４０が覆っているが、被覆部４０はバネを構成する細長い金属の板の少なくとも一部を覆っているのであれば、被覆部４０がばね３０を覆う範囲はこれに限定されない。
【００３５】
図４は、物品前出し装置１αにおいて、押し板２０がレールの後端からレール部１１の中央近傍まで移動した状態を示す図である。図４において、ばね３０のハッチングが掛けられた部分は、被覆部４０により被覆されている。
【００３６】
押し板２０がレール部１１の後端からレール部１１の中央近傍まで移動したときに、巻回部３１に巻かれた金属の板の少なくとも一部が被覆部４０により覆われている。図４においては、巻回部３１に巻かれた金属の板のうち、ケース１０を上から視認した時に使用者が視認可能な範囲が被覆部４０により覆われている。
【００３７】
これにより、押し板２０がレール部１１の後端から任意の位置（図４に示す位置に限定されない）まで移動したことを使用者に認識させることができる。例えば、物品前出し装置１αに物品１００を入れている場合に、物品１００の数が一定数以下になったことを使用者に認識させることができる（残数量の見える化）。
【００３８】
また、本実施の形態では、被覆部４０として樹脂製の熱収縮チューブを用いたが、被覆部の形態はこれに限定されない。例えば、周方向に変形可能な筒状の樹脂製の部材として、プラスチックの紐を網組することにより伸縮性を持たせた伸縮チューブ（メッシュチューブ）を用いて、ばね３０を構成する細長い金属の板を被覆してもよい。また、ばね３０を構成する細長い金属の板に熱収縮する樹脂製のテープを巻回することにより、細長い金属の板を被覆してもよい。さらに、乾燥後にゴム状となる樹脂系の塗料（例えば、ＳＢＲ樹脂を含有する塗料）を用いて、ばね３０を構成する細長い金属の板を被覆してもよい。つまり、金属の板の変形に合わせて変形可能な可撓性を有する樹脂であれば、どのようなものを用いてバネを被覆してもよい。
【００３９】
以上、この考案の実施形態を、図面を参照して詳述してきたが、具体的な構成はこの実施形態に限られるものではなく、この考案の要旨を逸脱しない範囲の設計変更等も含まれる。
【００４０】
例えば、上記実施形態においては、ケース１０にレール部１１が一体に形成された構成を示したが、本発明はこれに限られるものではなく、例えばケースとレールとが別体の場合であっても、適応されるものである。また、ケース１０は必須ではなく、板状部材（ケースの底面に相当する部材）にレール部１１が形成されていてもよいし、ケース１０の代わりにレール部１１のみを有する部材を用いてもよい。さらに、レール部１１がケース１０の底面に形成された構成を示したが、本発明はこれに限られるものではなく、レール部１１が、ケース１０の側面や傾斜された底面に形成された場合であっても、適応されるものである。
【符号の説明】
【００４１】
１、１α：物品前出し装置、１０：ケース、１１：レール部、１２：係止段差、１３：ばね固定部、１４：着脱開口部、２０：押し板、２１：板部、２２：凸状部、２３：レール摺接部、２４：補強部、２５：指掛け部、２６：下片部、２７：ばねガイド部、３０：ばね、３１：巻回部、３２：巻き出し部、３３：孔、４０：被覆部、１００：商品
【図１】
0003186002.tif 000003
【図２】
0003186002.tif 000004
【図３】
0003186002.tif 000005
【図４】
0003186002.tif 000006